(57)【要約】【課題】緊急事態における情報の伝達を支援する。【解決手段】緊急通報の通報者の音声、リズム音源により出力される胸骨圧迫のリズムを示すリズム音、及び前記緊急通報先の指令員の音声の入出力を制御する制御部と、前記通報者の音声、前記指令員の音声及び前記リズム音の音量を検出する音量検出部と、前記通報者の音声又は前記指令員の音声の音量が閾値以上となったとき、前記リズム音源の出力を減衰させる音量調整部と、を有する。【選択図】図２
2018113620.tif 000002
【特許請求の範囲】
【請求項１】
緊急通報の通報者の音声、リズム音源により出力される胸骨圧迫のリズムを示すリズム音、及び前記緊急通報先の指令員の音声の入出力を制御する制御部と、
前記通報者の音声、前記指令員の音声及び前記リズム音の音量を検出する音量検出部と、
前記通報者の音声又は前記指令員の音声の音量が閾値以上となったとき、前記リズム音源の出力を減衰させる音量調整部と、を有する、緊急通報システム。
【請求項２】
前記音量調整部は、
前記通報者の音声又は前記指令員の音声の音量が前記閾値未満となったとき、前記リズム音源の出力を、減衰させた分、増幅させる、請求項１記載の緊急通報システム。
【請求項３】
前記リズム音の出力を指示する操作を受け付ける操作受付部と、
前記制御部に前記リズム音の取得要求を指示するリズム音取得指示部と、を更に有し、
前記制御部は、前記取得要求を受けて、前記リズム音源に接続し、前記リズム音を出力する、請求項１又は２記載の緊急通報システム。
【請求項４】
緊急通報の通報者の音声、リズム音源により出力される胸骨圧迫のリズムを示すリズム音、及び前記緊急通報先の指令員の音声の入出力を制御し、
前記通報者の音声、前記指令員の音声及び前記リズム音の音量を検出し、
前記通報者の音声又は前記指令員の音声の音量が閾値以上となったとき、前記リズム音源の出力を減衰させる、緊急通報方法。
【発明の詳細な説明】
【技術分野】
【０００１】
本発明は、緊急通報システム及び緊急通報方法に関する。
【背景技術】
【０００２】
従来では、急病人の発生等により、１１９番の通報が成されると、この通報は災害救急情報センターに受け付けられ、現場に救急車等が派遣される。また、例えば、急病人が心肺停止状態等である場合には、緊急通報を行った通報者は、救急隊員が到着するまでの間、急病人に対して適切な蘇生処置を施す必要に迫られることがある。
【０００３】
このような状況では、通報者が災害救急情報センターの通話者（以下、指令員という）の指示に従って、心臓マッサージ等の蘇生処置を実施することになる。
【０００４】
ところで、例えば、心臓マッサージを実施する場合には、正確なリズムで患者の心臓を圧迫し続ける等、手順の理解も含めた処置者の熟練度が要求されるが、緊急の場合にその処置を実施する通報者が熟練している可能性は低い。そのため、従来では、このような状況においては、指令員の口頭指示（イチ、ニ、サン・・・を指令員が口頭で繰り返す）によって、通報者に急病人への心肺蘇生を実施させている。
【０００５】
しかしながら、この方法では、指令員の口頭指示が行われている間は、指令員は通報者と会話ができず、現場の状況の把握が困難となる。そこで、従来では、メトロノーム等の機器により、胸骨圧迫のリズムを指示するリズム音を発生させ、蘇生処置の処置者にリズム音を聞かせる手法が取られている。
【先行技術文献】
【特許文献】
【０００６】
【特許文献１】特開２００４−２０５４８３号公報
【特許文献２】特開平５−２１９１８１号公報
【特許文献３】特開２００７−１３０１２０号公報
【発明の概要】
【発明が解決しようとする課題】
【０００７】
しかしながら、従来の方法では、指令員と通報者が通話をしている最中でも、常時リズム音が聞こえる状態であり、依然として、指令員と通報者との通話が困難になる。
【０００８】
一態様によれば、本発明は、緊急事態における情報の伝達を支援する緊急通報システム及び緊急通報方法を提供することを目的としている。
【課題を解決するための手段】
【０００９】
一様態によれば、緊急通報の通報者の音声、リズム音源により出力される胸骨圧迫のリズムを示すリズム音、及び前記緊急通報先の指令員の音声の入出力を制御する制御部と、前記通報者の音声、前記指令員の音声及び前記リズム音の音量を検出する音量検出部と、前記通報者の音声又は前記指令員の音声の音量が閾値以上となったとき、前記リズム音源の出力を減衰させる音量調整部と、を有する。
【００１０】
上記各部は、上記各部を手順としてコンピュータにより実行させる方法、プログラムを記憶したコンピュータ読み取り可能な記憶媒体とすることもできる。
【発明の効果】
【００１１】
緊急事態における情報の伝達を支援できる。
【図面の簡単な説明】
【００１２】
【図１】第一の実施形態の緊急通報システムを説明する図である。
【図２】第一の実施形態の緊急通報システムのシステム構成を説明する図である。
【図３】第一の実施形態の情報処理装置のハードウェア構成を説明する図である。
【図４】第一の実施形態の情報処理装置の機能を説明する図である。
【図５】第一の実施形態の情報処理装置の処理を説明するフローチャートである。
【図６】第二の実施形態の緊急通報システムを説明する図である。
【発明を実施するための形態】
【００１３】
（第一の実施形態）
以下に、図面を参照して第一の実施形態について説明する。図１は、第一の実施形態の緊急通報システムを説明する図である。
【００１４】
本実施形態の緊急通報システム１００は、例えば、１１９番の通報を受け付ける災害救急情報センター１内に設けられる。
【００１５】
災害救急情報センター１は、電話回線を介して１１９番の通報を受け付けると、交換機２を介して災害救急情報センター１内の緊急通報システム１００を電話回線と接続させる。
【００１６】
本実施形態の緊急通報システム１００は、例えば、災害救急情報センター１側の通報者（以下、指令員）によって操作される。本実施形態では、緊急通報システム１００が、交換機２を介して通報が行われた電話機と接続されると、指令員と、通報を行った通報者との通話が可能となる。
【００１７】
災害救急情報センター１では、指令員による緊急通報システム１００の操作によって、現場付近の消防署１４等に対し、通報者との通話に基づく救急車の派遣要請が行われる。つまり、本実施形態の緊急通報システム１００は、通報に応じて救急車等の派遣要請を行う指令台の役割を果たす。
【００１８】
また、緊急通報システム１００では、通報者との通話により、指令員が急病人に対して心臓マッサージ等の蘇生処置が必要であると判断した場合、指令員の操作に応じて災害救急情報センター１に設けられたリズム再生装置３から一定のリズムを刻む音声を出力する。
この一定のリズムとは、例えば、心臓マッサージにおいて、胸骨を圧迫するタイミングを示すリズムである。
【００１９】
本実施形態では、このように、一定のリズムを刻む音声を再生することで、指令員の口頭による蘇生処置の支援を不要とし、指令員と通報者との通話ができるようにする。以下の説明では、一定のリズムを刻む音声をリズム音と呼ぶ。
【００２０】
そして、本実施形態の緊急通報システム１００は、通報者又は指令員の音声の音量が、所定の閾値以上となったことを検出すると、両者の通話が開始されたものと判定し、リズム音の音量を下げて、通話を優先させる。
【００２１】
また、本実施形態の緊急通報システム１００では、通報者又は指令員の音声の音量が、所定の閾値未満となった場合には、リズム音の音量を上げ、胸骨の圧迫のタイミングの指示を優先させる。
【００２２】
以上のように、本実施形態では、指令員と通報者との通話を検出してリズム音の音量を下げることで、指令員と通報者との通話がリズム音により阻害されることを回避する。また、本実施形態では、リズム音の音量を下げることで、指令員による、音声からの現場の状況把握をしやすくする。
【００２３】
また、本実施形態では、通報者と指令員との会話（通話）が途切れた場合、つまり、通報者と指令員の両方の音声の音量が閾値未満となった場合には、リズム音の音量を上げることで、通報者に、蘇生処置への注力を促すことができる。
【００２４】
尚、以下の説明では、通報者と指令員とが通信回線を介して行う会話を通話と呼び、通報者が通報に用いた電話機と、指令員が通話に用いる端末とが、通話可能な状態で接続されている状態を、接続中と呼ぶ。
【００２５】
以下に、図２を参照して、本実施形態の緊急通報システム１００のシステム構成について説明する。図２は、第一の実施形態の緊急通報システムのシステム構成を説明する図である。
【００２６】
本実施形態の緊急通報システム１００は、情報処理装置２００と、音声集約装置３００と、を有する。本実施形態の緊急通報システム１００では、情報処理装置２００と音声集約装置３００とは接続されている。
【００２７】
本実施形態の情報処理装置２００は、緊急通報処理部２１０を有する。音声集約装置３００は、ミキシング部３１０と、入出力端子３２０、３３０、入力端子３４０、スイッチ部材３４１を有する。
【００２８】
本実施形態の音声集約装置３００において、本実施形態のミキシング部３１０は、入出力端子３２０、３３０からの音声データの入出力を制御する。
【００２９】
また、本実施形態のミキシング部３１０は、入出力端子３２０、３３０、入力端子３４０から入力された音声データを情報処理装置２００へ出力する。さらに、本実施形態のミキシング部３１０は、情報処理装置２００からの指示に応じて、出力される音声データの音量を変更する。また、ミキシング部３１０は、情報処理装置２００からの指示に応じて、スイッチ部材３４１のオン／オフを制御し、入力端子３４０からの音声データの入力を制御する。つまり、本実施形態のミキシング部３１０は、緊急通報の通報者の音声、リズム再生装置３により出力される胸骨圧迫のリズムを示すリズム音、及び緊急通報先の指令員の音声の入出力を制御する制御部である。
【００３０】
本実施形態の音声集約装置３００において、入出力端子３２０は、指令員により装着されるヘッドセット１４等と接続される。音声集約装置３００において、入出力端子３２０からは、指令員の音声データが入力され、ミキシング部３１０に供給される。また、入出力端子３２０からは、ミキシング部３１０から出力される通報者の音声データが、ヘッドセット１４に対して出力される。このとき、入出力端子３２０からは、指令員の操作に応じて、ミキシング部３１０に入力されたリズム音が出力されても良い。
【００３１】
尚、図２の例では、入出力端子３２０は、ヘッドセット１４と接続されるものとしたが、これに限定されない。入出力端子３２０は、指令員が通報者と通話を行う際に用いる端末と接続されていればよい。
【００３２】
本実施形態の音声集約装置３００において、入出力端子３３０は、交換機２と接続される。音声集約装置３００において、入出力端子３３０からは、通報者の音声データが交換機２を介して入力され、ミキシング部３１０に供給される。また、入出力端子３３０からは、ミキシング部３１０から出力される指令員の音声データが、交換機２に対して出力される。このとき、入出力端子３３０からは、指令員の操作に応じて、ミキシング部３１０に入力されたリズム音が出力される。
【００３３】
本実施形態の音声集約装置３００において、入力端子３４０は、リズム再生装置３から出力されるリズム音が入力され、ミキシング部３１０に供給される。
【００３４】
本実施形態のスイッチ部材３４１は、入力端子３４０とミキシング部３１０との接続／遮断を制御する。スイッチ部材３４１は、ミキシング部３１０によって、オン／オフが制御される。尚、スイッチ部材３４１は、入力端子３４０とミキシング部３１０との接続／遮断を制御する手法の一例であり、これに限定されない。
【００３５】
本実施形態の情報処理装置２００において、緊急通報処理部２１０は、音声集約装置３００から出力される指令員と通報者の音声の音声データの音量を検出し、検出した結果に応じて、リズム音の音量の変更を音声集約装置３００に対して指示する。
【００３６】
尚、図２では、緊急通報システム１００は、情報処理装置２００と音声集約装置３００とを有するものとしたが、これに限定されない。緊急通報システムは、例えば、情報処理装置２００と、音声集約装置３００に加え、リズム再生装置３を有する緊急通報システム１０１としても良い。
【００３７】
以下に、リズム再生装置３について説明する。本実施形態のリズム再生装置３は、リズム音生成部３１と、リズム音出力部３２と、を有する。
【００３８】
リズム音生成部３１は、心臓マッサージ等の蘇生処置において、胸骨を圧迫するタイミングを示すリズム音を生成する。このとき、リズム音生成部３１は、予め設定された音量のリズム音を生成しても良い。
【００３９】
リズム音出力部３２は、リズム音生成部３１が生成したリズム音を音声データとして音声集約装置３００へ出力する。
【００４０】
本実施形態のリズム再生装置３は、例えば、メトロノーム等であっても良く、胸骨の圧迫するタイミングを示すリズム音を出力するリズム音源となり得るものであれば、どのようなものであっても良い。
【００４１】
次に、図３及び図４を参照して、本実施形態の情報処理装置２００について説明する。図３は、第一の実施形態の情報処理装置のハードウェア構成を説明する図である。
【００４２】
本実施形態の情報処理装置２００は、それぞれバスＢで相互に接続されている入力装置２１、出力装置２２、ドライブ装置２３、補助記憶装置２４、メモリ装置２５、演算処理装置２６及びインターフェース装置２７を含む情報処理装置である。
【００４３】
入力装置２１は、情報処理装置２００に対して各種の情報を入力するための装置である。具体的には、例えば入力装置２１は、キーボードや、リズム音源の取得指示／取得停止指示を行うための操作部材等である。出力装置２２は、情報処理装置２００から各種の情報を出力するための装置である。インターフェース装置２７は、ＬＡＮカード等を含み、ネットワークに接続する為に用いられる。
【００４４】
緊急通報プログラムは、情報処理装置２００を制御する各種プログラムの少なくとも一部である。緊急通報プログラムは例えば記憶媒体２８の配布やネットワークからのダウンロードなどによって提供される。緊急通報プログラムを記録した記憶媒体２８は、ＣＤ−ＲＯＭ、フレキシブルディスク、光磁気ディスク等の様に情報を光学的、電気的或いは磁気的に記録する記憶媒体、ＲＯＭ、フラッシュメモリ等の様に情報を電気的に記録する半導体メモリ等、様々なタイプの記憶媒体を用いることができる。
【００４５】
また、緊急通報プログラムは、緊急通報プログラムを記録した記憶媒体２８がドライブ装置２３にセットされると、記憶媒体２８からドライブ装置２３を介して補助記憶装置２４にインストールされる。ネットワークからダウンロードされた緊急通報プログラムは、インターフェース装置２７を介して補助記憶装置２４にインストールされる。
【００４６】
補助記憶装置２４は、インストールされた緊急通報プログラムを格納すると共に、必要なファイル、データ等を格納する。メモリ装置２５は、コンピュータの起動時に補助記憶装置２４から緊急通報プログラムを読み出して格納する。そして、演算処理装置２６はメモリ装置２５に格納された緊急通報プログラムに従って、後述するような各種処理を実現している。
【００４７】
図４は、第一の実施形態の情報処理装置の機能を説明する図である。本実施形態の情報処理装置２００は、緊急通報処理部２１０を有する。緊急通報処理部２１０は、情報処理装置２００の演算処理装置２６が、メモリ装置２５等に格納された緊急通報プログラムを読み出して実行することで実現される。
【００４８】
本実施形態の緊急通報処理部２１０は、操作受付部２１１、リズム音取得指示部２１２、音量検出部２１３、通話判定部２１４、音量調整部２１５、リズム音取得停止部２１６を有する。
【００４９】
操作受付部２１１は、入力装置２１に対する操作を受け付ける。具体的には、例えば操作受付部２１１は、リズム音の取得指示／取得停止指示を行う操作部材に対する操作を受け付ける。
【００５０】
リズム音取得指示部２１２は、操作受付部２１１がリズム音の取得指示を行う操作部材の操作を受け付けると、音声集約装置３００に対してリズム音の取得要求と、リズム音の出力要求を行う。そして、リズム音取得指示部２１２は、リズム音の音声データを取得すると共に、ミキシング部３１０の入出力端子３２０、３３０から、リズム音の音声データを出力させる。
【００５１】
尚、音声集約装置３００は、この取得要求を受けると、ミキシング部３１０により、情報処理装置２００に対して、リズム再生装置３から出力されているリズム音の出力を開始させる。具体的には、音声集約装置３００は、情報処理装置２００からリズム音の取得要求を受けて、スイッチ部材３４１により入力端子３４０とミキシング部３１０とを接続させても良い。
【００５２】
尚、本実施形態の災害救急情報センター１では、リズム再生装置３は、常時リズム音を出力していても良い。また、本実施形態の災害救急情報センター１は、複数の緊急通報システム１００が設けられており、リズム再生装置３から出力されるリズム音は、全ての緊急通報システム１００に対して供給されていても良い。
【００５３】
音量検出部２１３は、音声集約装置３００から情報処理装置２００に供給される音声データの音量を検出する。
【００５４】
通話判定部２１４は、音量検出部２１３により検出された音量に基づき、通報者と指令員との通話が行われているか否かを判定する。具体的には、通話判定部２１４は、音声集約装置３００の入出力端子３２０から入力された音声データの音量又は入出力端子３３０から入力された音声データの音量が、閾値以上となったとき、通報者と指令員との通話中と判定する。
【００５５】
尚、この閾値は、予め通話判定部２１４に設定されるものとした。また、この閾値は、例えば、指令員によって任意の値に調整されても良い。また、通報者と指令員とが通話中でない場合とは、例えば、通報者が通報に用いた電話機と、指令員のヘッドセット１４とが、接続されている状態で、通報者と指令員との通話が行われていない状態である。
【００５６】
音量調整部２１５は、通話判定部２１４による判定結果に応じて、リズム音の音量の調整を音声集約装置３００に対して指示する。具体的には、音量調整部２１５は、通話判定部２１４により、通報者と指令員との通話中と判定されたとき、音声集約装置３００の入力端子３４０から入力される音声データを出力するときの音量を下げるように、音声集約装置３００に対して指示する。
【００５７】
リズム音取得停止部２１６は、操作受付部２１１が、取得指示／取得停止指示を行う操作部材に対する取得停止指示の操作を受け付けると、音声集約装置３００に対して、リズム音の出力の停止を指示する。
【００５８】
次に、図５を参照して、本実施形態の情報処理装置２００の処理について説明する。図５は、第一の実施形態の情報処理装置の処理を説明するフローチャートである。
【００５９】
図５に示す処理は、例えば、災害救急情報センター１が緊急通報を受け付けて、通報者の電話機と、ヘッドセット１４とが、緊急通報システム１００及び交換機２を介して接続された状態における、情報処理装置２００の動作を示している。つまり、図５では、情報処理装置２００には、通報者の音声データと、指令員の音声データと、が供給されている状態における動作を示している。
【００６０】
本実施形態の情報処理装置２００は、緊急通報処理部２１０の操作受付部２１１により、リズム音の取得指示を受け付ける（ステップＳ５０１）。尚、リズム音の取得指示は、指令員によって操作部材が操作されたときに行われる。指令員が操作部材を操作するときとは、例えば、指令員が通報者から急病人の状況の聞き取りを行い、その状況から蘇生処置を行う必要があると判断したときである。
【００６１】
続いて、緊急通報処理部２１０は、リズム音取得指示部２１２により、音声集約装置３００に対して、リズム音の取得要求を行ってリズム音の音声データを取得し、さらに、リズム音の音声データを入出力端子３３０、３４０から出力させる（ステップＳ５０２）。
【００６２】
本実施形態では、この処理により、通報者の電話機と、指令員のヘッドセット１４に対して、リズム音の音声データが供給され、リズム音が出力される。
【００６３】
続いて、緊急通報処理部２１０は、音量検出部２１３により、通報者の音声データ及び指令員の音声データの音量の検出を介し、検出した音量と閾値との比較を開始する（ステップＳ５０３）。尚、このとき、音量検出部２１３は、リズム音の音量も検出する。
【００６４】
次に、緊急通報処理部２１０は、通話判定部２１４により、指令員と通報者とが通話中であるか否かを判定する（ステップＳ５０４）。具体的には、通話判定部２１４は、検出している音声データの音量が閾値以上となったか否かを判定している。
【００６５】
ステップＳ５０４において、通話中ではないと判定された場合、後述するステップＳ５０９へ進む。
【００６６】
ステップＳ５０４において、通話中と判定された場合、緊急通報処理部２１０は、音量調整部２１５は、音量検出部２１３により検出されたリズム音の音量に基づき、リズム音の音量が減衰しているか否かを判定する（ステップＳ５０５）。
【００６７】
具体的には、音量調整部２１５は、リズム音の音量が下げられているか否かを判定している。尚、本実施形態の音量調整部２１５は、リズム音の音量の初期値を予め記憶しておき、記憶された初期値と、検出された音量とを比較して、音量が減衰しているか否かを判定しても良い。
【００６８】
ステップＳ５０５において、音量が減衰している、と判定された場合、緊急通報処理部２１０は、後述するステップＳ５０７へ進む。
【００６９】
ステップＳ５０５において、音量が減衰していないと判定された場合、音量調整部２１５は、リズム音の音量を下げる（ステップＳ５０７）。言い換えれば、音量調整部２１５は、リズム再生装置３からの出力を減衰させる。このとき、音量調整部２１５には、リズム音の減衰量が予め設定されており、設定された値に基づき、リズム音を減衰させても良い。具体的には、例えば減衰量が−３［ｄＢ］と設定されていた場合には、音量調整部２１５は、この減衰量に従ってリズム音を減衰させる。
【００７０】
続いて、緊急通報処理部２１０は、操作受付部２１１により、リズム音の取得停止の指示を受け付けたか否かを判定する（ステップＳ５０７）。
【００７１】
リズム音の取得停止の指示は、リズム音の取得指示を行う操作部材と同一の操作部材に対する操作によって、行われても良い。具体的には、操作受付部２１１は、通報者の電話機と、指令員のヘッドセット１４とが接続されてから、最初にリズム音の取得指示／取得停止指示を行う操作部材が押下されたとき、この操作をリズム音の取得指示と受け付けても良い。また、操作受付部２１１は、次に、同じ操作部材が押下されたとき、この操作をリズム音の取得停止指示と受け付けても良い。
【００７２】
ステップＳ５０７において、取得停止の指示を受け付けていない場合、緊急通報処理部２１０は、ステップＳ５０４へ戻る。
【００７３】
ステップＳ５０７において、リズム音の取得停止の指示を受け付けた場合、緊急通報処理部２１０は、リズム音取得停止部２１６により、音声集約装置３００に対して、リズム音の音声データの取得停止要求を行い（ステップＳ５０８）、処理を終了する。
【００７４】
尚、音声集約装置３００は、リズム音の取得要求指示を受け付けると、スイッチ部材３４１により、入力端子３４０とミキシング部３１０との接続を遮断しても良い。
【００７５】
ステップＳ５０４において、通話中でないと判定された場合、緊急通報処理部２１０は、音量調整部２１５により、リズム音が予め設定された初期値と比較して、減衰しているか否かを判定する（ステップＳ５０９）。
【００７６】
ステップＳ５０９において、リズム音が減衰していないと判定された場合、ステップＳ５０７へ進む。また、ステップＳ５０９において、リズム音が減衰していると判定された場合、緊急通報処理部２１０は、音量調整部２１５により、リズム音の音量を初期値に戻し（ステップＳ５１０）、ステップＳ５０７へ進む。言い換えれば、音量調整部２１５は、リズム再生装置３の出力を、減衰させた分、増幅させる。
【００７７】
以上のように、本実施形態では、通報者と指令員が通話中である場合のみ、リズム音の音量を下げ、通報者と指令員との通話を容易にしている。また、本実施形態では、リズム音の音量を下げることで、指令員に対し、ヘッドセット１４を介して通報者がいる現場から聞こえる音による状況の把握をしやすくする。
【００７８】
このように、本実施形態によれば、通報者と指令員との間での情報の伝達を支援することができる。
【００７９】
また、本実施形態によれば、通報者と指令員の通話が中断された場合には、音量が下げられていたリズム音の音量を上げて元の音量に戻し、通報者に対して蘇生処置への集中を促すことができる。
【００８０】
尚、本実施形態では、緊急通報処理部２１０を情報処理装置２００に設けたが、これに限定されない。緊急通報処理部２１０は、例えば、音声集約装置３００が演算処理装置とメモリ装置を有する場合には、音声集約装置３００に設けられていても良い。
【００８１】
（第二の実施形態）
以下に図面を参照して第二の実施形態について説明する。第二の実施形態では、情報処理装置に音声集約装置の機能を含めた点が、第一の実施形態と相違する。よって、以下の第二の実施形態の説明では、第一の実施形態との相違点について説明し、第一の実施形態と同様の機能構成を有するものには、第一の実施形態の説明で用いた符号と同様の符号を付与し、その説明を省略する。
【００８２】
図６は、第二の実施形態の緊急通報システムを説明する図である。
【００８３】
本実施形態の緊急通報システム１００Ａは、緊急通報処理部２１０と、ミキシング部３１０と、入出力端子３２０、３３０と、入力端子３４０と、スイッチ部材３４１と、を有する情報処理装置である。
【００８４】
本実施形態では、このように、緊急通報処理部２１０とミキシング部３１０とを１つの装置で実現することで、２つの装置を接続する必要がなくなるため、容易に設置することができる。
【００８５】
尚、本実施形態の緊急通報システムは、緊急通報システム１００Ａを実現する情報処理装置と、リズム再生装置３とを有する緊急通報システム１０１Ａとしても良い。
【００８６】
また、緊急通報システム１０１Ａでは、リズム再生装置３も含む１つの装置によって実現されても良い。
【００８７】
開示の技術では、以下に記載する付記のような形態が考えられる。
（付記１）
緊急通報の通報者の音声、リズム音源により出力される胸骨圧迫のリズムを示すリズム音、及び前記緊急通報先の指令員の音声の入出力を制御する制御部と、
前記通報者の音声、前記指令員の音声及び前記リズム音の音量を検出する音量検出部と、
前記通報者の音声又は前記指令員の音声の音量が閾値以上となったとき、前記リズム音源の出力を減衰させる音量調整部と、を有する、緊急通報システム。
（付記２）
前記音量調整部は、
前記通報者の音声又は前記指令員の音声の音量が前記閾値未満となったとき、前記リズム音源の出力を、減衰させた分、増幅させる、付記１記載の緊急通報システム。
（付記３）
前記リズム音の出力を指示する操作を受け付ける操作受付部と、
前記制御部に前記リズム音の取得要求を指示するリズム音取得指示部と、を更に有し、
前記制御部は、前記取得要求を受けて、前記リズム音源に接続し、前記リズム音を出力する、付記１又は２記載の緊急通報システム。
（付記４）
緊急通報の通報者の音声、リズム音源により出力される胸骨圧迫のリズムを示すリズム音、及び前記緊急通報先の指令員の音声の入出力を制御し、
前記通報者の音声、前記指令員の音声及び前記リズム音の音量を検出し、
前記通報者の音声又は前記指令員の音声の音量が閾値以上となったとき、前記リズム音源の出力を減衰させる、緊急通報方法。
（付記５）
緊急通報の通報者の音声、リズム音源により出力される胸骨圧迫のリズムを示すリズム音、及び前記緊急通報先の指令員の音声の音量を検出する音量検出部と、
前記通報者の音声又は前記指令員の音声の音量が閾値以上となったとき、前記リズム音源の出力を減衰させる音量調整部と、を有する、情報処理装置。
（付記６）
緊急通報の通報者の音声、リズム音源により出力される胸骨圧迫のリズムを示すリズム音、及び前記緊急通報先の指令員の音声の音量を検出する処理と、
前記通報者の音声又は前記指令員の音声の音量が閾値以上となったとき、前記リズム音源の出力を減衰させる処理と、コンピュータを実行させる緊急通報プログラム。
【００８８】
本発明は、具体的に開示された実施形態に限定されるものではなく、特許請求の範囲から逸脱することなく、種々の変形や変更が可能である。
【符号の説明】
【００８９】
１  災害救急情報センター
２  交換機
３  リズム再生装置
１００、１００Ａ  緊急通報システム
２００、２００Ａ  情報処理装置
２１０  緊急通報処理部
２１１  操作受付部
２１２  リズム音取得指示部
２１３  音量検出部
２１４  通話判定部
２１５  音量調整部
２１６  リズム音取得停止部
３００  音声集約装置
３１０  ミキシング部
３２０、３３０  入出力端子
３４０  入力端子
【図１】
2018113620.tif 000003
【図２】
2018113620.tif 000004
【図３】
2018113620.tif 000005
【図４】
2018113620.tif 000006
【図５】
2018113620.tif 000007
【図６】
2018113620.tif 000008